(57)【要約】【課題】打設したコンクリート中に間隔保持具の残骸が残らないように撤去できるコンクリート型枠用間隔保持具を提供することを目的とする。【解決手段】本発明による間隔保持具１０は、板状本体１１とブラケット２０から成る。  板状本体は幅が一端から他端に向かって漸減する帯状鉄板を、一端に第１上方折り曲げ片１２を連設し、他端に係合舌片１３を連設するようにプレス成形して形成される。  ブラケットは、角形の鉄板を、係合穴２３が穿設されるベース部２１と第２上方折り曲げ片２２とが連設するようにプレス成形し、係合穴の内側上方へ突出して前記係合舌片が当接する突出片２４が設けられて形成される。  係合穴へ係合舌片を係合して板状本体とブラケットは連結され、第１上方折り曲げ片に一方の型枠ＡのアウターフレームＡ６を当接し、第２折り曲げ片に他方の型枠ＡのアウターフレームＡ６を当接することによって、コンクリート型枠は所定間隔に保持される。【選択図】図１
2005282080.tif 000002
【特許請求の範囲】
【請求項１】
対向して配置される一対のコンクリート型枠を所定間隔に保持するため両コンクリート型枠の下端部間に配置されるコンクリート型枠用間隔保持具であって、
幅が同じ若しくは一端から他端に向かって漸減し、一端に係合舌片が形成され、他端に第１上方折り曲げ片を形成した板状本体と、
前記係合舌片が上下方向に着脱可能に係合する係合穴が形成され、かつ内端部に第２上方折り曲げ片を形成したブラケットから成り、
係合舌片を係合穴に係合して板状本体とブラケットを連結し、第１上方折り曲げ片に一方のコンクリート型枠の下端部外側を当接させ、第２上方折り曲げ片に他方のコンクリート型枠の下端部外側を当接させて両コンクリート型枠を所定間隔に保持するように構成したことを特徴とするコンクリート型枠用間隔保持具。
【請求項２】
前記ブラケットに前記係合穴の内側上方へ突出して前記係合舌片の上面が当接する突出片を設けるようにしたことを特徴とする請求項１に記載のコンクリート型枠用間隔保持具。
【請求項３】
対向して配置される一対のコンクリート型枠を所定間隔に保持するため両コンクリート型枠の下端部間に配置されるコンクリート型枠用間隔保持具であって、
幅が同じ若しくは一端から他端に向かって漸減し、一端に係合舌片が形成され、他端に第１上方折り曲げ片を形成するとともに第１折り曲げ片の上端部に第１内側折り曲げ片を形成した板状本体と、
前記係合舌片が上下方向に着脱可能に係合する係合穴が形成されるとともに係合穴の内側上方へ突出して前記係合舌片の上面が当接する突出片を設け、かつ内端部に第２上方折り曲げ片を形成するとともに第２上方折り曲げ片の上端に第２内側折り曲げ片を形成したブラケットと、
ブラケットの裏面に組み付けられ前記係合穴に重なる位置と係合穴から外れる位置との間で摺動するスライドプレートを備え、
係合舌片を係合穴に係合するとともに突出片とスライドプレートで係合舌片を挟んで板状本体とブラケットを連結し、一方のコンクリート型枠の下端部外側を第１内側折り曲げ片に係止するとともに第１上方折り曲げ片に当接させ、かつ他方のコンクリート型枠の下端部外側を第２内側折り曲げ片に係止するとともに第２上方折り曲げ片に当接させて両コンクリート型枠を所定間隔に保持するように構成したことを特徴とするコンクリート型枠用間隔保持具。
【請求項４】
対向して配置される一対のコンクリート型枠を所定間隔に保持するため両コンクリート型枠の下端部間に配置されるコンクリート型枠用間隔保持具であって、
幅が同じ若しくは一端から他端に向かって漸減し、一端に切欠部を形成し、他端に第１上方折り曲げ片を形成するとともに第１折り曲げ片の上端部に第１内側折り曲げ片を形成した板状本体と、
側面に係合溝を形成し、上端に第２内側折り曲げ片が一体に設けられ前記切欠部に上下方向に着脱可能に係合するブラケットと、
前記板状本体の裏面に沿って摺動し前記係合溝に着脱可能に係合して前記切欠部に係合した前記ブラケットを抜け止めするスライドプレートを備え、
ブラケットを切欠部に係合し、係合溝にスライドプレートを係合して板状本体とブラケットを連結し、一方のコンクリート型枠の下端部外側を第１内側折り曲げ片に係止するとともに第１上方折り曲げ片に当接させ、かつ他方のコンクリート型枠の下端部外側を第２内側折り曲げ片に係止するとともにブラケットに当接させて両コンクリート型枠を所定間隔に保持するように構成したことを特徴とするコンクリート型枠用間隔保持具。
【発明の詳細な説明】
【技術分野】
【０００１】
本発明は、コンクリート型枠用間隔保持具に関する。
【背景技術】
【０００２】
従来のコンクリート型枠用間隔保持具ａは図１９に示すように、短冊状の板材ｂの両端を折曲して外側位置規制片ｃを形成し、各外側位置規制片ｃの内側で板材ａの中間部を切り起こして内側位置規制片ｄを形成し、両位置規制片ｃ，ｄによりコンクリート型枠Ａの端部を係止する型枠嵌合部ｅを形成した構造を備えている。
係る構造のコンクリート型枠用間隔保持具ａによれば、対向する一対のコンクリート型枠Ａの下端部をそれぞれ型枠嵌合部ｅに嵌合し、上端部をそれぞれ別の保持具ａの型枠嵌合部ｅに嵌合することで、両コンクリート型枠Ａが所定間隔で立設保持される。
そして、コンクリートＣの硬化後に上側の間隔保持具ａをコンクリート型枠Ａから外すとともに、コンクリート型枠Ａを下側の間隔保持具ａの型枠嵌合部ｅから外し、下側の間隔保持具ａの側面へハンマー等で打撃を加えることで、コンクリートＣから露出した型枠嵌合部ｅを分離する。
【特許文献１】特開平９−４２２５号公報
【発明の開示】
【発明が解決しようとする課題】
【０００３】
上記の構成による間隔保持具ａを用いた場合、打設したコンクリートＣに間隔保持具ａの板材ｂが残骸として埋設され、やがて腐食してコンクリートＣの劣化の一因となる。
【０００４】
本発明は上記の課題に鑑み為されたものであって、硬化したコンクリート中に残骸が残らないように撤去できるコンクリート型枠用間隔保持具を提供することを目的とする。
【課題を解決するための手段】
【０００５】
上記課題を解決するために、請求項１に記載の発明は、対向して配置される一対のコンクリート型枠を所定間隔に保持するため両コンクリート型枠の下端部間に配置されるコンクリート型枠用間隔保持具であって、
幅が同じ若しくは一端から他端に向かって漸減し、一端に係合舌片が形成され、他端に第１上方折り曲げ片を形成した板状本体と、
前記係合舌片が上下方向に着脱可能に係合する係合穴が形成され、かつ内端部に第２上方折り曲げ片を形成したブラケットから成り、
係合舌片を係合穴に係合して板状本体とブラケットを連結し、第１上方折り曲げ片に一方のコンクリート型枠の下端部外側を当接させ、第２上方折り曲げ片に他方のコンクリート型枠の下端部外側を当接させて両コンクリート型枠を所定間隔に保持するように構成したことを特徴とする。
そして、好ましくは前記ブラケットに前記係合穴の内側上方へ突出して前記係合舌片の上面が当接する突出片を設ける。
また、請求項３に記載の発明は、対向して配置される一対のコンクリート型枠を所定間隔に保持するため両コンクリート型枠の下端部間に配置されるコンクリート型枠用間隔保持具であって、
幅が同じ若しくは一端から他端に向かって漸減し、一端に係合舌片が形成され、他端に第１上方折り曲げ片を形成するとともに第１折り曲げ片の上端部に第１内側折り曲げ片を形成した板状本体と、
前記係合舌片が上下方向に着脱可能に係合する係合穴が形成されるとともに係合穴の内側上方へ突出して前記係合舌片の上面が当接する突出片を設け、かつ内端部に第２上方折り曲げ片を形成するとともに第２上方折り曲げ片の上端に第２内側折り曲げ片を形成したブラケットと、
ブラケットの裏面に組み付けられ前記係合穴に重なる位置と係合穴から外れる位置との間で摺動するスライドプレートを備え、
係合舌片を係合穴に係合するとともに突出片とスライドプレートで係合舌片を挟んで板状本体とブラケットを連結し、一方のコンクリート型枠の下端部外側を第１内側折り曲げ片に係止するとともに第１上方折り曲げ片に当接させ、かつ他方のコンクリート型枠の下端部外側を第２内側折り曲げ片に係止するとともに第２上方折り曲げ片に当接させて両コンクリート型枠を所定間隔に保持するように構成したことを特徴とする。
加えて、請求項４に記載の発明は、対向して配置される一対のコンクリート型枠を所定間隔に保持するため両コンクリート型枠の下端部間に配置されるコンクリート型枠用間隔保持具であって、
幅が同じ若しくは一端から他端に向かって漸減し、一端に切欠部を形成し、他端に第１上方折り曲げ片を形成するとともに第１折り曲げ片の上端部に第１内側折り曲げ片を形成した板状本体と、
側面に係合溝を形成し、上端に第２内側折り曲げ片が一体に設けられ前記切欠部に上下方向に着脱可能に係合するブラケットと、
前記板状本体の裏面に沿って摺動し前記係合溝に着脱可能に係合して前記切欠部に係合した前記ブラケットを抜け止めするスライドプレートを備え、
ブラケットを切欠部に係合し、係合溝にスライドプレートを係合して板状本体とブラケットを連結し、一方のコンクリート型枠の下端部外側を第１内側折り曲げ片に係止するとともに第１上方折り曲げ片に当接させ、かつ他方のコンクリート型枠の下端部外側を第２内側折り曲げ片に係止するとともにブラケットに当接させて両コンクリート型枠を所定間隔に保持するように構成したことを特徴とする。
【発明の効果】
【０００６】
請求項１に記載の発明に係るコンクリート型枠用間隔保持具の使用方法は以下の通りである。
両コンクリート型枠の下端部の間に間隔保持具を配置して両型枠間にコンクリートを流し込み、コンクリートがある程度硬化して型枠に加わる圧力が消滅した後、型枠を間隔保持具から取り外すと、硬化したコンクリートからブラケットと第１上方折り曲げ片が露出するので、ブラケットの係合穴を係合舌片から外してブラケットを板状本体から分離する。次ぎに、第１上方折り曲げ片を掴んで引っ張り、打設したコンクリート中から板状本体を抜き取る。
請求項１に記載の発明に係る間隔保持具によれば、コンクリートを両型枠間に流し込んだとき両型枠の間隔を広げる方向に作用するコンクリートの圧力を両上方折り曲げ片で受け止めて両型枠を所定間隔に保つことができる。
しかして、請求項１に記載の間隔保持具は打設したときブラケットと板状本体の上方折り曲げ片が露出するように両型枠の下端部間に配置でき、かつブラケットをコンクリート中に埋設された板状本体から分離可能に構成するとともに、板状本体を幅が同じ若しくは一端から他端に向かって漸減する形状にしたので、硬化したコンクリートから板状本体を抜き取ることができ、間隔保持具の残骸が残らないようにコンクリートを打設できる。
従って、ブラケットと板状本体は再使用が可能であり、コンクリート打設工事の施工費用を低減できる。
そして、ブラケットに突出片を設けることにより、係合舌片を係合穴に係合して板状本体にブラケットを連結したとき、係合舌片の上面が突出片に当接してブラケットの板状本体からの脱落を防止できるので、間隔保持具を両コンクリート型枠の下端部間に配置する作業が容易になる。
請求項３に記載の発明に係るコンクリート型枠用間隔保持具の使用方法は以下の通りである。
両コンクリート型枠の下端部の間に間隔保持具を配置して両型枠間にコンクリートを流し込み、コンクリートがある程度硬化して型枠に加わる圧力が消滅した後、型枠を間隔保持具から取り外すと、硬化したコンクリートからブラケットとスライドプレート及び板状本体の第１上方折り曲げ片と第１内側折り曲げ片が露出するので、スライドプレートを係合穴から外れる位置へ摺動し、スライドプレートと突出片で挟まれていた係合舌片を開放して、ブラケットの係合穴を係合舌片から外し、ブラケットとスライドプレートを板状本体から分離する。次ぎに、第１上方折り曲げ片を掴んで引っ張り、打設したコンクリート中から板状本体を抜き取る。
請求項３に記載の発明に係る間隔保持具によれば、コンクリートを両型枠間に流し込んだとき両型枠の間隔を広げる方向に作用するコンクリートの圧力を両上方折り曲げ片で受け止めて両型枠を所定間隔に保つことができる。
しかして、請求項３に記載の間隔保持具は板状本体に第１内側折り曲げ片を設けるとともに、ブラケットに第２内側折り曲げ片を設けて両内側折り曲げ片をコンクリート型枠の下端部に係止するので、両コンクリート型枠の下端部間に脱落しないように装着できる。そのため、べた基礎のように平らなベース部と、ベース部から立ち上がる立ち上がり部とをほぼ同時に打設するとき、地面からベースの厚み分だけ浮かせて設置したコンクリート型枠の下端部に装着して間隔を保持できる。
また、コンクリートを打設したときブラケットとスライドプレート及び板状本体の上方折り曲げ片が露出するように両型枠の下端部間に配置でき、かつブラケットとスライドプレートをコンクリート中に埋設された板状本体から分離可能に構成するとともに、板状本体を幅が同じ若しくは一端から他端に向かって漸減する形状にしたので、硬化したコンクリートから板状本体を抜き取ることができ、間隔保持具の残骸が残らないようにコンクリートを打設できる。
請求項４に記載の発明に係るコンクリート型枠用間隔保持具の使用方法は以下の通りである。
両コンクリート型枠の下端部の間に間隔保持具を配置して両型枠間にコンクリートを流し込み、コンクリートがある程度硬化して型枠に加わる圧力が消滅した後、型枠を間隔保持具から取り外すと、硬化したコンクリートからブラケットとスライドプレート及び板状本体の第１上方折り曲げ片と第１内側折り曲げ片が露出するので、スライドプレートをブラケットの係合溝から外して、ブラケットを板状本体の切欠部から外し、ブラケットを板状本体から分離する。次ぎに、第１上方折り曲げ片を掴んで引っ張り、打設したコンクリート中から板状本体を抜き取る。
請求項４に記載の発明に係る間隔保持具によれば、コンクリートを両型枠間に流し込んだとき両型枠の間隔を広げる方向に作用するコンクリートの圧力を両上方折り曲げ片で受け止めて両型枠を所定間隔に保つことができる。
しかして、請求項４に記載の発明に係る間隔保持具は、板状本体に第１内側折り曲げ片を設けるとともに、ブラケットに第２内側折り曲げ片を設けて両内側折り曲げ片をコンクリート型枠の下端部に係止するので、両コンクリート型枠の下端部間に脱落しないように装着できる。
板状本体の切欠部にブラケットを係合させて板状本体とブラケットを連結し、ブラケットの係合溝にスライドプレートを係合させてブラケットを板状本体から脱落しないように組み付けるので、板状本体とブラケットを強固に連結でき、かつ板状本体とブラケットの分離操作も簡単になる。
【発明を実施するための最良の形態】
【０００７】
本発明による間隔保持具は、板状本体とブラケットから成る。
板状本体は幅が一端から他端に向かって漸減する帯状鉄板を、幅の狭い一端に係合舌片を連設し、幅の広い他端に第１上方折り曲げ片を連設するようにプレス成形して形成される。
ブラケットは、角形の鉄板を、係合穴が穿設されるベース部と第２上方折り曲げ片とが連設するようにプレス成形し、係合穴の内側上方へ突出して前記係合舌片が当接する突出片が設けられて形成される。
係合穴へ係合舌片を係合して板状本体とブラケットは連結され、第１上方折り曲げ片に一方のコンクリート型枠の下端部外側を当接し、第２折り曲げ片に他方のコンクリート型枠の下端部外側を当接することによって、コンクリート型枠は所定間隔に保持される。
【実施例１】
【０００８】
以下に本発明を図面に基づき説明するに、図１及び図２には本発明の第１実施例に係るコンクリート型枠用間隔保持具１０が示されている。当該間隔保持具１０は、鉄板を所要形状にプレス成形した板状本体１１とブラケット２０から成る。図３に示すように板状本体１１はその幅が一端から他端に向けて漸減し、一端の幅は他端の幅の約２／３に設定されている。幅の広い一端には第１上方折り曲げ片１２が形成され、幅の狭い他端には略正方形の係合舌片１３と、係合舌片１３より幅の細い連結部１４が成形されている。
【０００９】
ブラケット２０は図４に示すように、ベース部２１に係合舌片１３と連結部１４がそれぞれ上下方向に着脱可能に係合する大係合穴２３ａと小係合穴２３ｂが形成され、両係合穴２３は連通し、小係合穴２３ｂは内端に開口している。大係合穴２３ａの一端に突出片２４が設けられ、係合舌片１３を大係合穴２３ａに係合したとき係合舌片１３の上面が当接するように大係合穴２３ａの内側上方に突出している。ベース部２１内端には第２上方折り曲げ片２２が形成されている。
【００１０】
第１実施例に係るコンクリート型枠用間隔保持具１０の構造は以上の通りであって、以下にその使用方法を説明する。図１及び図２に示すように係合舌片１３と連結部１４をそれぞれ大係合穴２３ａと小係合穴２３ｂに係合して板状本体１１とブラケット２０を連結する。そして図５に示すように、地面Ｄに置いて一対のコンクリート型枠ａを載置する。以下の本実施例で用いるコンクリート型枠Ａは型枠パネル面Ａ１と、型枠パネル面Ａ１の上下左右端部に溶接した鉄製のトップフレームＡ３、ベースフレームＡ２、サイドフレームＡ４、及びベースフレームＡ２の反パネル面端部に起立するアウターフレームＡ６とパネル面中央に溶接されるセンターフレームＡ５等から構成される。
間隔保持具１０の、第１上方折り曲げ片１２に一方のコンクリート型枠ＡのアウターフレームＡ６を当接し、第２上方折り曲げ片２２に他方のコンクリート型枠ＡのアウターフレームＡ６を当接する。両コンクリート型枠ＡのトップフレームＡ３間に従来のコンクリート型枠用間隔保持具ａを装着する。こうして両コンクリート型枠Ａを所定間隔に保持し、型枠パネル面Ａ１の間にコンクリートを流し込む。
【００１１】
コンクリートがある程度硬化して型枠パネル面Ａ１に加わる圧力が消滅した後、型枠Ａを間隔保持具１０から取り外すと、図６に示すように硬化したコンクリートＣからブラケット２０と第１上方折り曲げ片１２が露出するので、ブラケット２０を持ち上げて係合穴２３を係合舌片１３から外し、ブラケット２０を板状本体１１から分離する。次ぎに、第１上方折り曲げ片１２を掴んで引っ張り、打設したコンクリートＣ中から板状本体１１を抜き取る。
【００１２】
第１実施例に係る間隔保持具１０によれば、コンクリートを両型枠パネル面Ａ１間に流し込んだとき両型枠Ａの間隔を広げる方向に作用するコンクリートＣの圧力を両上方折り曲げ片で受け止めて両型枠Ａを所定間隔に保つことができる。
しかして、第１実施例に係る間隔保持具１０は、コンクリートを打設したときブラケット２０と板状本体１１の上方折り曲げ片が露出するように両型枠ＡのベースフレームＡ２間に配置でき、かつブラケット２０をコンクリート中に埋設された板状本体１１から分離可能に構成し、板状本体１１を幅が漸減する形状にしたので、硬化したコンクリートＣから板状本体１１を抜き取ることができ、間隔保持具１０の残骸が残らないようにコンクリートを打設できる。従って、ブラケット２０と板状本体１１は再使用が可能であり、コンクリート打設工事の施工費用を低減できる。
【００１３】
ブラケット２０に突出片２４を設けたので、係合舌片１３を係合穴２３に係合して板状本体１１にブラケット２０を連結したとき、係合舌片１３の上面が突出片２４に当接してブラケット２０の板状本体１１から脱落するのを防止できる。このため間隔保持具１０を地面Ｄに置くとき、ブラケット２０と板状本体１１が分離し難いので、間隔保持具１０の配置作業が容易になる。
【実施例２】
【００１４】
本発明の第２実施例に係るコンクリート型枠用間隔保持具２１０を図７及び図８に示す。当該間隔保持具２１０は鉄板を所要形状にプレス成形した板状本体２１１とブラケット２２０及びスライドプレート２３０から成る。図９に示すように板状本体２１１は幅が一端から他端に向かって漸減し、幅の狭い一端に係合舌片２１４と係合舌片２１４の幅より細い連結部２１５が形成され、幅の広い他端に第１上方折り曲げ片２１２と、第１上方折り曲げ片２１２の上端部に第１内側折り曲げ片２１３が形成されている。
【００１５】
ブラケット２２０は図１０に示すように、ベース部２２１に係合舌片２１４と連結部２１５が上下方向に着脱可能に係合する大係合穴２２４ａと小係合穴２２４ｂが形成されている。両係合穴２２４は連通し、小係合穴２２４ｂは内端部に開口している。大係合穴２２４ａの一端に突出片２２５が設けられ、係合舌片２１４を大係合穴２２４ａに係合したとき係合舌片２１４の上面が当接するように大係合穴２２４ａの内側上方に突出している。ベース部２２１の内端部には第２上方折り曲げ片２２２が形成され、第２上方折り曲げ片２２２の上端に第２内側折り曲げ片２２３が形成されている。ベース部２２１の中央部にガイドスリット２２６が形成されている。このガイドスリット２２６は一端が外端部に開口し、係合穴２２４方向に延びている。ガイドスリット２２６の両側に左右２個の釘穴２２７が形成されている。
【００１６】
スライドプレート２３０は図１１に示すように、外端に第３上方折り曲げ片２３１が形成されている。スライドプレート２３０の中央部にはネジ棒２３２が溶接により立設され、ネジ棒２３２に蝶ネジ２３３がネジ付けられている。スライドプレート２３０はネジ棒２３２をブラケット２２０のガイドスリット２２６に摺動可能に嵌合させることにより、ブラケット２２０の裏面に組み付けられ、大係合穴２２４ａと小係合穴２２４ｂに重なる位置と両係合穴２２４から外れる位置との間で摺動させることができる。
【００１７】
第２実施例に係るコンクリート型枠用間隔保持具２１０の構造は以上の通りであって、次ぎにその使用方法を説明する。
図１２に示すように、地面Ｄに型枠支持金具２４０を設置する。支持金具２４０は鉄製丸棒２４１を門形に成形し、両脚部の下端部に長方形の座金２４２を溶接して固定し、中間部に受け座２４３を溶接して固定した構造を有する。型枠支持金具２４０の受け座２４３に間隔保持具２１０の板状本体２１１を載置する。そして、一方の型枠を板状本体２１１の第１上方折り曲げ片２１２側の端部に載置して、型枠ＡのアウターフレームＡ６に第１上方折り曲げ片２１２を当接させるとともに、第１内側折り曲げ片２１３をアウターフレームＡ６に係止する。次ぎに板状本体２１１の係合舌片２１４側の端部に他方の型枠Ａを載置し、型枠の外側に係合舌片２１４と連結部２１５を露出させる。ついで、型枠ＡのアウターフレームＡ６に第２上方折り曲げ片２２２を当接させるとともに、第２内側折り曲げ片２２３を係止させながら、係合舌片２１４と連結部２１５をそれぞれ大係合穴２２４ａと小係合穴２２４ｂに係合させる。続いて、スライドプレート２３０を第３上方折り曲げ片２３１がブラケット２２０の外端部に当たるまで、ガイドスリット２２６に沿って摺動する。第３上方折り曲げ片２３１がブラケット２２０の外端部に当たる位置まで摺動するとスライドプレート２３０が大係合穴２２４ａと小係合穴２２４ｂに重なるので、蝶ネジ２３３を締め付けてスライドプレート２３０を固定する。これにより突出片２２５とスライドプレート２３０で係合舌片２１４が挟まれ、ブラケット２２０が板状本体２１１に連結される。一方、両コンクリート型枠ＡのトップフレームＡ３間に従来のコンクリート型枠用間隔保持具ａを装着する。こうして両コンクリート型枠Ａを所定間隔に保持するとともに型枠支持金具２４０で地面Ｄから浮かせて設置し、型枠パネル面Ａ１の間にコンクリートを流し込む。
【００１８】
コンクリートがある程度硬化して型枠パネル面Ａ１に加わる圧力が消滅した後、型枠Ａを間隔保持具２１０から取り外すと、図１３に示すように硬化したコンクリートのベース部Ｂと立ち上がり部Ｃの角部にブラケット２２０とスライドプレート２３０及び第１上方折り曲げ片２１２が露出するので、蝶ネジ２３３を緩めてスライドプレート２３０をガイドスリット２２６から抜き取り、ブラケット２２０を持ち上げて係合穴２２４を係合舌片２１４から外し、ブラケット２２０を板状本体２１１から分離する。そして、第１上方折り曲げ片２１２を掴んで引っ張り、打設したコンクリート中から板状本体２１１を抜き取る。
【００１９】
第２実施例に係る間隔保持具２１０によれば、コンクリートを両型枠パネル面Ａ１間に流し込んだとき両型枠Ａの間隔を広げる方向に作用するコンクリートの圧力を両上方折り曲げ片で受け止めて両型枠Ａを所定間隔に保つことができる。
しかして、第２実施例に係る間隔保持具２１０は、板状本体２１１に第１内側折り曲げ片２１３を設けるとともに、ブラケット２２０に第２内側折り曲げ片２２３を設けて両内側折り曲げ片をコンクリート型枠ＡのアウターフレームＡ６に係止するので、両コンクリート型枠ＡのベースフレームＡ２間に脱落しないように装着できる。そのため、べた基礎のように平らなベース部Ｂと、ベース部Ｂから立ち上がる立ち上がり部Ｃとを同時に打設するとき、地面Ｄからベース部Ｂの厚み分だけ浮かせて設置したコンクリート型枠ＡのベースフレームＡ２に装着して間隔を保持できる。
【００２０】
コンクリートを打設したときブラケット２２０とスライドプレート２３０及び板状本体２１１の上方折り曲げ片が露出するように両型枠ＡのベースフレームＡ２間に配置でき、かつブラケット２２０とスライドプレート２３０をコンクリート中に埋設された板状本体２１１から分離可能に構成するとともに、板状本体２１１を幅が漸減する形状にしたので、硬化したコンクリートＣから板状本体２１１を抜き取ることができ、間隔保持具２１０の残骸が残らないようにコンクリートを打設できる。
【００２１】
なお、第２実施例に係るコンクリート型枠用間隔保持具２１０を使用して型枠Ａを設置する場合、予めベース部Ｂを打設し、硬化したベース部Ｂにブラケット２２０の釘穴２２７からコンクリート釘を打ち込んで、間隔保持具２１０をベース部Ｂに固定すれば、型枠パネル面Ａ１間にコンクリートを流し込んだとき、型枠Ａに不均等にコンクリートの圧力が作用しても、確実に型枠Ａを所定間隔に保持できる。
【実施例３】
【００２２】
本発明の第３実施例に係るコンクリート型枠用間隔保持具３１０を図１３及び図１４に示す。当該間隔保持具３１０は板状本体３１１とブラケット３２０及びスライドプレート３３０から成る。板状本体３１１は第２実施例の板状本体３１１と同じ形状を有し、幅が一端から他端に向かって漸減し、幅の狭い一端に切欠部３１４を形成して連結部３１５が成形され、幅の広い他端に第１上方折り曲げ片３１２が形成され、第１上方折り曲げ片３１２の上端部に第１内側折り曲げ片３１３が形成されている。
【００２３】
図１５に示すように、ブラケット３２０は断面Ｌ字形のプレート３２１と２個の断面正方形の係合片３２２から成り、プレート３２１の内側の左右２箇所に係合片３２２が溶接され、プレート３２１の上端部が第２内側折り曲げ片３２３を形成している。係合片３２２は板状本体３１１の切欠部３１４に上下方向に着脱可能に係合するように形状、寸法が定められている。係合片３２２の外側側面には係合溝３２４が形成され、横方向に延びている。
【００２４】
スライドプレート３３０は図１６に示すように、一端に第４上方折り曲げ片３３１が形成され、反折り曲げ片側端部に２本の係合突部３３２と、２本のスリット３３３が形成されている。スライドプレート３３０は各係合突部３３２のスリット３３３側縁部を係合片３２２の係合溝３２４に着脱可能に係合することにより板状本体３１１の裏面に沿って摺動可能に組み付けられ、切欠部３１４に係合片３２２を係合させたときブラケット３２０を切欠部３１４から抜け止めするように構成されている。
【００２５】
第３実施例に係るコンクリート型枠用間隔保持具３１０の構造は以上の通りであって、以下にその使用方法を説明する。この間隔保持具３１０は第２実施例に係る間隔保持具２１０と同様に、型枠支持金具２４０で地面Ｄから浮かせて設置した型枠ＡのベースフレームＡ２に装着して使用する。使用に際しては、一方のコンクリート型枠ＡのアウターフレームＡ６を第１内側折り曲げ片３１３に係止するとともに第１上方折り曲げ片３１２に当接させる。次ぎに、図１７に示すように、ブラケット３２０の係合片３２２を板状本体３１１の切欠部３１４に係合し、係合溝３２４にスライドプレート３３０の係合突部３３２を係合する。これにより板状本体３１１とブラケット３２０が連結されるので、他方のコンクリート型枠ＡのアウターフレームＡ６を第２内側折り曲げ片３２３に係止するとともに、係合片３２２に当接させて両コンクリート型枠Ａを所定間隔に保持する。
【００２６】
両コンクリート型枠ＡのベースフレームＡ２の間に間隔保持具３１０を配置して両型枠パネル面Ａ１間にコンクリートを流し込み、コンクリートがある程度硬化して型枠パネル面Ａ１に加わる圧力が消滅した後、型枠Ａを間隔保持具３１０から取り外すと、硬化したコンクリートからブラケット３２０とスライドプレート３３０及び板状本体３１１の第１上方折り曲げ片３１２と第１内側折り曲げ片３１３が露出するので、スライドプレート３３０をブラケット３２０の係合溝３２４から外して、ブラケット３２０を板状本体３１１の切欠部３１４から外し、ブラケット３２０を板状本体３１１から分離する。次ぎに、第１上方折り曲げ片３１２を掴んで引っ張り、打設したコンクリートＣ中から板状本体３１１を抜き取る。
【００２７】
第３実施例に係る間隔保持具３１０は、板状本体３１１に第１内側折り曲げ片３１３を設けるとともに、ブラケット３２０に第２内側折り曲げ片３２３を設けて両内側折り曲げ片をコンクリート型枠ＡのアウターフレームＡ６に係止するので、両コンクリート型枠ＡのベースフレームＡ２間に脱落しないように装着できる。
板状本体３１１の切欠部３１４にブラケット３２０を係合させて板状本体３１１とブラケット３２０を連結し、ブラケット３２０の係合溝３２４にスライドプレート３３０を係合させてブラケット３２０を板状本体３１１から脱落しないように組み付けるので、板状本体３１１とブラケット３２０を強固に連結でき、かつ板状本体３１１とブラケット３２０の分離操作も簡単になる。
【図面の簡単な説明】
【００２８】
【図１】本発明の第１実施例に係るコンクリート型枠用間隔保持具を示す斜視図である。
【図２】本発明の第１実施例に係るコンクリート型枠用間隔保持具の長手方向の断面図である。
【図３】本発明の第１実施例に係るコンクリート型枠用間隔保持具の板状本体を示す斜視図である。
【図４】本発明の第１実施例に係るコンクリート型枠用間隔保持具のブラケットを示す斜視図である。
【図５】本発明の第１実施例に係るコンクリート型枠用間隔保持具の使用方法を示す斜視図である。
【図６】本発明の第１実施例に係るコンクリート型枠用間隔保持具の使用方法を説明する断面図である。
【図７】本発明の第２実施例に係るコンクリート型枠用間隔保持具を示す斜視図である。
【図８】本発明の第２実施例に係るコンクリート型枠用間隔保持具の長手方向の断面図である。
【図９】本発明の第２実施例に係るコンクリート型枠用間隔保持具の板状本体を示す斜視図である。
【図１０】本発明の第２実施例に係るコンクリート型枠用間隔保持具のブラケットを示す斜視図である。
【図１１】本発明の第２実施例に係るコンクリート型枠用間隔保持具のスライドプレートを示す斜視図である。
【図１２】本発明の第２実施例に係るコンクリート型枠用間隔保持具の使用方法を示す斜視図である。
【図１３】本発明の第２実施例に係るコンクリート型枠用間隔保持具の使用方法を説明する断面図である。
【図１４】本発明の第３実施例に係るコンクリート型枠用間隔保持具を示す斜視図である。
【図１５】本発明の第３実施例に係るコンクリート型枠用間隔保持具の長手方向の断面図である。
【図１６】本発明の第３実施例に係るコンクリート型枠用間隔保持具のブラケットを示す斜視図である。
【図１７】本発明の第３実施例に係るコンクリート型枠用間隔保持具のスライドプレートを示す斜視図である。
【図１８】本発明の第３実施例に係るコンクリート型枠用間隔保持具の連結部分を説明する断面図である。
【図１９】従前の技術に係るコンクリート型枠用間隔保持具の使用方法を示す斜視図である。
【符号の説明】
【００２９】
Ａ…コンクリート型枠、Ａ１…型枠パネル面、Ａ２…ボトムフレーム、Ａ３…トップフレーム、Ａ４…サイドフレーム、Ａ５…センターフレーム、Ａ６…アウターフレーム、Ｂ…コンクリートのベース部、Ｃ…コンクリートの立ち上がり部、Ｄ…地面。
ａ…従来の間隔保持具、ｂ…板材、ｃ…外側位置規制片、ｄ…内側位置規制片、ｅ…型枠嵌合部。
１０…第１実施例に係る間隔保持具、１１…板状本体、１２…第１上方折り曲げ片、１３…係合舌片、１４…連結部。
２０…ブラケット、２１…ベース部、２２…第２上方折り曲げ片、２３…係合穴、２３ａ…大係合穴、２３ｂ…小係合穴、２４…突出片。
２１０…第２実施例に係る間隔保持具、２１１…板状本体、２１２…第１上方折り曲げ片、２１３…第１内側折り曲げ片、２１４…係合舌片、２１５…連結部。
２２０…ブラケット、２２１…連結部、２２２…第２上方折り曲げ片、２２３…第２内側折り曲げ片、２２４…係合穴、２２４ａ…大係合穴、２２４ｂ…小係合穴、２２５…突出片、２２６…ガイドスリット、２２７…釘穴。
２３０…スライドプレート、２３１…第３上方折り曲げ片、２３２…ネジ棒、２３３…蝶ネジ。
２４０…型枠支持金具、２４１…丸棒、２４２…座金、２４３…受け座。
３１０…第３実施例に係る間隔保持具、３１１…板状本体、３１２…第１上方折り曲げ片、３１３…第１内側折り曲げ片、３１４…切欠け部、３１５…連結部。
３２０…ブラケット、３２１…プレート、３２２…係合片、３２３…第２内側折り曲げ片、３２４…係合溝。
３３０…スライドプレート、３３１…第４上方折り曲げ片、３３２…係合突部、３３３…スリット
【図１】
2005282080.tif 000003
【図２】
2005282080.tif 000004
【図３】
2005282080.tif 000005
【図４】
2005282080.tif 000006
【図５】
2005282080.tif 000007
【図６】
2005282080.tif 000008
【図７】
2005282080.tif 000009
【図８】
2005282080.tif 000010
【図９】
2005282080.tif 000011
【図１０】
2005282080.tif 000012
【図１１】
2005282080.tif 000013
【図１２】
2005282080.tif 000014
【図１３】
2005282080.tif 000015
【図１４】
2005282080.tif 000016
【図１５】
2005282080.tif 000017
【図１６】
2005282080.tif 000018
【図１７】
2005282080.tif 000019
【図１８】
2005282080.tif 000020
【図１９】
2005282080.tif 000021